(57)【要約】【課題】空冷式冷房機や冷蔵冷凍機の室外機ユニット凝縮器のフィンの汚れを検知し除去する室外機ユニット凝縮器フィン清掃装置を提供する。【解決手段】室外機ユニット凝縮器フィン清掃装置は、屋外機ユニット凝縮器のフィン部の上流側と下流側の空気圧の差圧を検知する空気差圧スイッチと、液配管に取り付けられ且つ上記液配管の高圧圧力を計測する高圧圧力スイッチと、上記液配管に取り付けられ且つ凝縮器出口温度を計測する温度センサーと、上記屋外機ユニット凝縮器のファンを回転するファンモータを逆回転するインバータ装置と、上記フィン部のフィンの表面を擦るブラシが縦立する櫛形清掃装置と、上記フィン部に洗浄用ノズルから水をかけて簡易的に洗浄する簡易洗浄装置と、を備える。【選択図】図１
2010014313.tif 000002
【特許請求の範囲】
【請求項１】
屋外機ユニット凝縮器のフィン部の上流側と下流側の空気圧の差圧を検知する空気差圧スイッチと、
液配管に取り付けられ且つ上記液配管の高圧圧力を計測する高圧圧力スイッチと、
上記液配管に取り付けられ且つ凝縮器出口温度を計測する温度センサーと、
上記屋外機ユニット凝縮器のファンを回転するファンモータを逆回転するインバータ装置と、
上記フィン部のフィンの表面を擦るブラシが縦立する櫛形清掃装置と、
上記フィン部に洗浄用ノズルから水をかけて簡易的に洗浄する簡易洗浄装置と、
を備えることを特徴とする室外機ユニット凝縮器フィン清掃装置。
【発明の詳細な説明】
【技術分野】
【０００１】
この発明は、空冷式冷房機や冷蔵冷凍機の室外機ユニット凝縮器のフィンを清掃する室外機ユニット凝縮器フィン清掃装置に関する。
【背景技術】
【０００２】
空調機は、冷媒を蒸発させる蒸発器と、冷媒を吸収する吸収液を蓄え蒸発した冷媒蒸気を吸収さする吸収器と、冷媒蒸気を吸収した希吸収液を加熱して冷媒蒸気と濃吸収液とを発生する再生器と、再生器で発生した冷媒蒸気を凝縮させる冷却フィン付凝縮器を有し、凝縮器と蒸発器との圧力差により冷媒を凝縮器から蒸発器に送出させ、冷媒の蒸発により被空調室内の空気を直接冷却し、この冷却空気をダクトにより室内に送風して冷房を行う空調装置で、空冷ファンが一定時間以上最大能力で回転していても、凝縮器出口温度が上昇し続けていると判断した場合又は凝縮器出口温度と適正出口温度との差が所定値以下にならない場合に冷却フィンの目詰まりを警告する手段を備えた（例えば、特許文献１参照）。
【０００３】
【特許文献１】特開平８−１２１８９６号公報
【発明の開示】
【発明が解決しようとする課題】
【０００４】
従来の警告だけでは、未確認にともなう未対応があり、清掃および洗浄するまでに時間を要する。このため、電算室など重要な所に納入されている空調機が停止状態に至り、支障をきたす可能性がある。
【０００５】
この発明の目的は、空冷式冷房機や冷蔵冷凍機の室外機ユニット凝縮器のフィンの汚れを検知し除去する室外機ユニット凝縮器フィン清掃装置を提供することである。
【課題を解決するための手段】
【０００６】
この発明に係る室外機ユニット凝縮器フィン清掃装置は、屋外機ユニット凝縮器のフィン部の上流側と下流側の空気圧の差圧を検知する空気差圧スイッチと、液配管に取り付けられ且つ上記液配管の高圧圧力を計測する高圧圧力スイッチと、上記液配管に取り付けられ且つ凝縮器出口温度を計測する温度センサーと、上記屋外機ユニット凝縮器のファンを回転するファンモータを逆回転するインバータ装置と、上記フィン部のフィンの表面を擦るブラシが縦立する櫛形清掃装置と、上記フィン部に洗浄用ノズルから水をかけて簡易的に洗浄する簡易洗浄装置と、を備える。
【発明の効果】
【０００７】
この発明に係る室外機ユニット凝縮器フィン清掃装置の効果は、第１段階の清掃メニューとして、室外機ユニット凝縮器のファンを逆回転するので、フィンに付着している春や秋の樹木、花類の綿毛・落ち葉などを排出することができ、また、第２段階の清掃メニューとして、フィンの表面を櫛状のライナーでなぞり、表面に貼り付いた汚れを掻き落とし、第３段階の清掃メニューとして、フィンの表面に水をかけて汚れを柔らかくするので、次の機会に櫛状のライナーでなぞるとさらに強く貼り付いた汚れを掻き落とすことができ、熱交換の阻害を防止できることである。
【発明を実施するための最良の形態】
【０００８】
図１は、この発明の室外機ユニット凝縮器フィン清掃装置を室外機ユニットに取り付けた様子を示す図である。
この発明の室外機ユニット凝縮器フィン清掃装置を実施するための最良の形態は、屋外機ユニット凝縮器９のフィン部９ａを流れる空気の上流側と下流側に取り付けた２つのピトー管１ａ、ピトー管１ａが計測したフィン部９ａの上流側と下流側の空気圧の差圧を検知する空気差圧スイッチ１、液配管８に取り付けられ且つ液配管８の高圧圧力を計測する高圧圧力スイッチ５、液配管８に取り付けられ且つ凝縮器出口温度を計測する温度センサー６、屋外機ユニット凝縮器９のファン９ｂを回転するファンモータ９ｃを逆回転するインバータ装置２、フィン部９ａのフィンの表面を擦るブラシ３ａが縦立する櫛形清掃装置３、フィン部９ａに洗浄用ノズル４ａから水をかけて簡易的に洗浄する簡易洗浄装置４を備える。
【０００９】
図２は、この発明の室外機ユニット凝縮器フィン清掃装置を用いて室外機ユニット凝縮器フィンを清掃する手順を示すフローチャートである。
次に、この発明の室外機ユニット凝縮器フィン清掃装置を用いて室外機ユニット凝縮器フィンを清掃する手順を説明する。この室外機は冷房機として動作している空気調和機の室外機であるとして説明する。
ステップＳ１において、冷房機の運転開始からの運転時間が予め定められた設定運転時間以上か否かを判断し、運転時間が設定運転時間以上のときステップＳ２に進み、運転時間が設定運転時間未満のとき清掃する手順を終了する。
【００１０】
ステップＳ２において、空気差圧スイッチ１が検知する差圧が予め設定された設定差圧以上か否かを判断し、差圧が設定差圧以上のときステップＳ３に進み、差圧が設定差圧未満のとき清掃する手順を終了する。
ステップＳ３において、高圧圧力スイッチ５が計測する高圧圧力が予め設定された設定圧力以上か否かを判断し、高圧圧力が設定圧力以上のときステップＳ４に進み、高圧圧力が設定圧力未満のとき清掃する手順を終了する。
ステップＳ４において、温度センサー６が計測する液温度が予め設定された設定温度以上か否かを判断し、液温度が設定温度以上のときステップＳ５に進み、液温度が設定温度未満のとき清掃する手順を終了する。
【００１１】
ステップＳ５において、ステップＳ２において差圧が設定差圧以上と判断されたときからの経過時間が予め設定された設定経過時間以上か否かを判断し、経過時間が設定経過時間以上のときステップＳ６に進み、経過時間が設定経過時間未満のときステップＳ１に戻る。
ステップＳ６において、空気調和機が冷房運転を停止中か否かを判断し、停止中のときステップＳ７に進み、運転中のときステップＳ１に戻る。
【００１２】
ステップＳ７において、ステップＳ１からの手順でファン逆回転運転を実施したことがあるか否かを判断し、ファン逆回転運転を実施したことがあるときステップＳ９に進み、ファン逆回転運転を実施したことがないときステップＳ８に進む。
ステップＳ８において、インバータ装置２を作動してファン９ｂを逆回転しステップＳ１に戻る。
【００１３】
ステップＳ９において、ステップＳ１からの手順で櫛形清掃装置３で清掃したことがあるか否かを判断し、櫛形清掃装置３で清掃を実施したことがあるときステップＳ１１に進み、櫛形清掃装置３で清掃を実施したことがないときステップＳ１０に進む。
ステップＳ１０において、櫛形清掃装置３を作動してフィン部９ａを擦ってからステップＳ１に戻る。
【００１４】
ステップＳ１１において、ステップＳ１からの手順で簡易洗浄装置４で洗浄したことがあるか否かを判断し、簡易洗浄装置４で洗浄を実施したことがあるときステップＳ１３に進み、簡易洗浄装置４で洗浄を実施したことがないときステップＳ１２に進む。
ステップＳ１２において、簡易洗浄装置４を作動してフィン部９ａに水をかけてからステップＳ１に戻る。
ステップＳ１３において、今回のステップＳ１〜ステップＳ１２までの手順が３回行われたか否かを判断し、３回行われたときステップＳ１４に進み、３回未満のときステップＳ１に戻る。
ステップＳ１４において、警告を行い、本格的な洗浄・清掃を促して清掃の手順を終了する。
【００１５】
図３は、この発明のファン逆回転運転を実施する手順を示すフローチャートである。
次に、図２のステップＳ８で行うファン逆回転運転の手順を説明する。
ステップＳ２１において、図２のステップＳ７において逆回転運転指令があったか否かを確認し、逆回転運転指令があったときステップＳ２２に進み、逆回転運転指令がないとき図２のステップＳ１に戻る。このときは逆回転運転は実施されなかったと判断し、例えば逆回転運転フラグに０を設定し、図２のステップＳ７での判断に用いる。
ステップＳ２２において、空気調和機が冷房運転を停止中か否かを判断し、停止中のときステップＳ２３に進み、運転中のとき図２のステップＳ１に戻る。このときは逆回転運転は実施されなかったと判断し、例えば逆回転運転フラグに０を設定する。
ステップＳ２３において、ファン逆回転運転を実施する。
ステップＳ２４において、ファン逆回転運転の実施時間が予め定めた設定実施時間以上であるか否かを判断し、実施時間が設定実施時間以上のときステップＳ２５に進み、実施時間が設定実施時間未満のときステップＳ２３に戻る。
ステップＳ２５において、ファン逆回転運転を中止し、図２のステップＳ１に戻る。このときは逆回転運転が実施されたと判断し、例えば逆回転運転フラグに１を設定し、図２のステップＳ７での判断に用いる。
【００１６】
図４は、この発明の櫛形清掃装置での清掃を実施する手順を示すフローチャートである。
次に、図２のステップＳ１０で行う櫛形清掃装置を用いた清掃の手順を説明する。
ステップＳ３１において、図２のステップＳ９において櫛形清掃装置作動指令があったか否かを確認し、櫛形清掃装置作動指令があったときステップＳ３２に進み、櫛形清掃装置作動指令がないとき図２のステップＳ１に戻る。このときは櫛形清掃装置を用いた清掃が実施されなかったと判断し、例えば櫛形清掃フラグに０を設定し、図２のステップＳ９での判断に用いる。
ステップＳ３２において、空気調和機が冷房運転を停止中か否かを判断し、停止中のときステップＳ３３に進み、運転中のとき図２のステップＳ１に戻る。このときは櫛形清掃装置を用いた清掃が実施されなかったと判断し、例えば櫛形清掃フラグに０を設定する。
ステップＳ３３において、櫛形清掃装置を用いた清掃を実施する。
ステップＳ２４において、櫛形清掃装置を用いた清掃の実施時間が予め定めた設定実施時間以上であるか否かを判断し、実施時間が設定実施時間以上のときステップＳ３５に進み、実施時間が設定実施時間未満のときステップＳ３３に戻る。
ステップＳ３５において、櫛形清掃装置を用いた清掃を中止し、図２のステップＳ１に戻る。このときは櫛形清掃装置を用いた清掃が実施されたと判断し、例えば櫛形清掃フラグに１を設定し、図２のステップＳ９での判断に用いる。
【００１７】
図５は、この発明の簡易洗浄装置を用いた洗浄を実施する手順を示すフローチャートである。
次に、図２のステップＳ１２で行う簡易洗浄装置を用いた洗浄の手順を説明する。
ステップＳ４１において、図２のステップＳ１１において簡易洗浄装置作動指令があったか否かを確認し、簡易洗浄装置作動指令があったときステップＳ４２に進み、簡易洗浄装置作動指令がないとき図２のステップＳ１に戻る。このときは簡易洗浄装置を用いた洗浄が実施されなかったと判断し、例えば簡易洗浄フラグに０を設定し、図２のステップＳ１１での判断に用いる。
ステップＳ４２において、空気調和機が冷房運転を停止中か否かを判断し、停止中のときステップＳ４３に進み、運転中のとき図２のステップＳ１に戻る。このときは簡易洗浄装置を用いた洗浄が実施されなかったと判断し、例えば簡易洗浄フラグに０を設定する。
ステップＳ４３において、簡易洗浄装置を用いた洗浄を実施する。
ステップＳ４４において、簡易洗浄装置を用いた洗浄の実施時間が予め定めた設定実施時間以上であるか否かを判断し、実施時間が設定実施時間以上のときステップＳ４５に進み、実施時間が設定実施時間未満のときステップＳ４３に戻る。
ステップＳ４５において、簡易洗浄装置を用いた洗浄を中止し、図２のステップＳ１に戻る。このときは簡易洗浄装置を用いた洗浄が実施されたと判断し、例えば簡易洗浄フラグに１を設定し、図２のステップＳ１１での判断に用いる。
【００１８】
この発明の室外機ユニット凝縮器フィン清掃装置では、第１段階の清掃メニューとして、室外機ユニット凝縮器のファンを逆回転するので、フィンに付着している春や秋の樹木、花類の綿毛・落ち葉などを排出することができ、熱交換の阻害を防止できる。
また、第２段階の清掃メニューとして、フィンの表面を櫛状のライナーでなぞり、表面に貼り付いた汚れを掻き落とすので、熱交換の阻害を防止できる。
また、第３段階の清掃メニューとして、フィンの表面に水をかけて汚れを柔らかくするので、次の機会に櫛状のライナーでなぞるとさらに強く貼り付いた汚れを掻き落とすことができ、熱交換の阻害を防止できる。
また、このように３段階で本格的な清掃や洗浄の前に清掃を行うので、使用できなくなる時間が短くなり、無駄な薬品洗浄を排除することができる。
【００１９】
上述の実施の形態では、差圧、高圧圧力、液温度を予め設定した設定値と比較して３段階に亘って清掃を行っているが、差圧、高圧圧力、液温度の清掃前後での変化の度合いを求めて汚れが落ちたか否かを判断しても良い。
【図面の簡単な説明】
【００２０】
【図１】この発明の室外機ユニット凝縮器フィン清掃装置を室外機ユニットに取り付けた様子を示す図である。
【図２】この発明の室外機ユニット凝縮器フィン清掃装置を用いて室外機ユニット凝縮器フィンを清掃する手順を示すフローチャートである。
【図３】この発明のファン逆回転運転を実施する手順を示すフローチャートである。
【図４】この発明の櫛形清掃装置での清掃を実施する手順を示すフローチャートである。
【図５】この発明の簡易洗浄装置を用いた洗浄を実施する手順を示すフローチャートである。
【符号の説明】
【００２１】
１  空気差圧スイッチ（ＰＳ）、１ａ  ピトー管、２  インバータ装置（ＩＮＶ）、３  櫛形清掃装置、３ａ  ブラシ、４  簡易洗浄装置、４ａ  洗浄用ノズル、５  高圧圧力スイッチ、６  温度センサー、７  ガス配管、８  液配管、９  屋外機ユニット凝縮器、９ａ  フィン部、９ｂ  ファン、９ｃ  ファンモータ。
【図１】
2010014313.tif 000003
【図２】
2010014313.tif 000004
【図３】
2010014313.tif 000005
【図４】
2010014313.tif 000006
【図５】
2010014313.tif 000007